(57)【要約】【課題】基材の一側からしか光が差し込まないか、基材の他側からの光量が不十分であるような環境下においても、基材の表裏両側をクリーンに保つことのできる仕切り部材を得る。【解決手段】仕切り部材としての防汚ガラス１１は、光透過性を有する基材としてのガラス板１２と、その一方の面に形成された第１光触媒層１３と、その他方の面に形成された第２光触媒層１４とから構成されている。また、第１光触媒層１３には紫外線光応答型の光触媒が担持されており、第２光触媒層１４には可視光応答型の光触媒が担持されている。これにより、光源からの直接光が第１光触媒層１３にしか差し込まない場合でも、第１光触媒層１３及び第２光触媒層１４においてそれぞれ光触媒を活性化させることができ、防汚ガラス１１の表裏両面をクリーンに保つことができる。【選択図】図１
2007260523.tif 000002
【特許請求の範囲】
【請求項１】
空間を仕切る仕切り部材であって、
光透過材料により形成された基材と、
該基材の一側に形成され、第１光触媒が担持された第１光触媒層と、
前記基材の他側に形成され、前記第１光触媒とは活性化領域の異なる第２光触媒が担持された第２光触媒層と
を備えた仕切り部材。
【請求項２】
前記基材はガラス窓のガラス板であり、前記第１光触媒層はガラス板の屋外側表面に形成され、前記第２光触媒層はガラス板の屋内側表面に形成されたものである請求項１記載の仕切り部材。
【請求項３】
空間を仕切る仕切り部材であって、
光透過材料により形成された複数の基材と、
前記各基材のいずれかの基材の側面に形成され、第１光触媒が担持された第１光触媒層と、
前記各基材の前記第１光触媒層が形成された基材とは異なる基材の側面に形成され、前記第１光触媒とは活性化領域の異なる第２光触媒が担持された第２光触媒層と
を備えた仕切り部材。
【請求項４】
前記基材は複層ガラス窓の各ガラス板であり、各ガラス板が間隙をおいて配置し、当該間隙を密閉空間とするように連結されてなる請求項３記載の仕切り部材。
【請求項５】
前記第１光触媒層は各ガラス板のうち屋外側に配置されるガラス板の屋外側表面に形成され、前記第２光触媒層は各ガラス板のうち屋内側に配置されるガラス板の屋内側表面に形成されたものである請求項４記載の仕切り部材。
【請求項６】
前記第２光触媒は、第１光触媒に吸収されずに透過した光を吸収して活性化される光触媒である請求項１乃至５のいずれかに記載の仕切り部材。
【請求項７】
前記第２光触媒は、少なくとも第１光触媒の活性化領域と重複しない活性化領域を有する光触媒である請求項１乃至６のいずれかに記載の仕切り部材。
【請求項８】
前記第１光触媒は波長３８０ｎｍ以下の光を吸収する光触媒である請求項１乃至７のいずれかに記載の仕切り部材。
【請求項９】
前記第２光触媒は波長５２０ｎｍ以下の光を吸収する光触媒である請求項１乃至８のいずれかに記載の仕切り部材。
【請求項１０】
自然光又は人口光が直接差し込む側に前記第１光触媒層が配置されるように、請求項１乃至９のいずれかに記載の仕切り部材が設置された建物。
【発明の詳細な説明】
【技術分野】
【０００１】
本発明は、ガラス窓等の仕切り部材及びその仕切り部材を備えた建物に関する。
【背景技術】
【０００２】
建物において、窓ガラス等の表面には汚れが付着することがある。この汚れ等を防ぐ技術として、ガラス板の表面に二酸化チタン等の光触媒を担持させる技術が提案されている（例えば、特許文献１参照）。すなわち、図４（ａ）に示されるように、ガラス板等の基材５１の表面に光触媒層５２をコーティング等により形成して仕切り部材５３が構成されている。これにより、太陽等の光源から差し込む光によって光触媒層５２に担持された光触媒が活性化され、基材５１表面の汚れを除去する効果が期待されている。しかしながら、かかる従来技術においては、基材５１の表面だけに防汚性が付与されるに過ぎず、基材５１の裏面には汚れが付着してしまう。
【０００３】
そこで、基材５１の表裏両面をクリーンに保つために、表裏両面にそれぞれ同一の光触媒を担持させるようにした技術も提案されている（例えば、特許文献２参照）。すなわち、図４（ｂ）に示されるように、基材５１の表裏表面に同一の光触媒が担持された光触媒層５２ａ，５２ｂを形成する。これにより、基材５１の表面に光が差し込むと表面側の光触媒層５２ａの光触媒が活性化される。一方、基材５１の裏面に光が差し込むと裏面側の光触媒層５２ｂの光触媒が活性化される。このような活性化作用によって、基材５１の表裏両面をクリーンに保つことができるという発想である。
【０００４】
しかしながら、必ずしも基材５１の表裏両側から光が入り込む環境で当該基材５１を使用できるとは限らない。例えば、基材５１の表面側からしか光が入り込まないか、裏面側からの光が不十分である場合には、基材５１の表面側では光触媒層５２ａの光触媒が活性化するが、基材５１の裏面側の光触媒層５２ｂでは光触媒が活性化しないおそれがあり、基材５１の裏面側の浄化がなされないか、または不十分になるおそれがある。
【特許文献１】特開２００２−２６７５７号公報
【特許文献２】特開２００４−６７３９４号公報
【発明の開示】
【発明が解決しようとする課題】
【０００５】
本発明は、基材の一側からしか光が差し込まないか、基材の他側からの光量が不十分であるような環境下においても、基材の複数の側面（１の基材であれば表裏両面）をクリーンに保つことのできる仕切り部材及びその仕切り部材を備えた建物を得ることを主たる目的とするものである。
【課題を解決するための手段】
【０００６】
上記課題を解決するのに有効な手段につき、必要に応じて作用、効果、より踏み込んだ具体的手段等を示しつつ説明する。なお、理解を容易にするため、発明の実施の形態において対応する主要な構成を括弧書きで適宜示すが、この括弧書きで示した具体的構成に限定されない。
【０００７】
本発明は、空間を仕切る仕切り部材（防汚ガラス１１等）であって、光透過材料により形成された基材（ガラス板１２等）と、該基材の一側に形成され、第１光触媒（紫外線応答型の光触媒等）が担持された第１光触媒層（第１光触媒層１３）と、前記基材の他側に形成され、前記第１光触媒とは活性化領域の異なる第２光触媒（可視光応答型の光触媒等）が担持された第２光触媒層（第２光触媒層１４）とを備えたことを特徴とする。
【０００８】
この仕切り部材によれば、基材の一側に光源からの光が差し込んだ場合、第１光触媒層で第１光触媒が活性化され、基材の一側が浄化される。この活性化作用により所定波長領域の光は第１光触媒層において吸収されるが、その他の光は光透過性のある基材を透過して第２光触媒層に至る。第２光触媒層に担持された第２光触媒は第１光触媒と異なる活性化領域を有しているため、第２光触媒層に至った光により第２光触媒が活性化され得る。その結果、基材の他側も活性化作用により浄化され得る。以上により、基材の表裏両側を光触媒の活性化作用によりクリーンに保つことが可能となる。
【０００９】
前記仕切り部材としてはガラス窓（トップライト２３、複層ガラス窓２７等）に適用することができ、この場合、前記基材をガラス窓のガラス板とし、前記第１光触媒層をガラス板の屋外側表面に形成し、前記第２光触媒層をガラス板の屋内側表面に形成することが好ましい。このように構成することで、太陽光を光源として、ガラス窓の表裏両面をクリーンに保つことができる。
【００１０】
別の発明では、空間を仕切る仕切り部材であって、光透過材料により形成された複数の基材（屋外側ガラス板２８，屋内側ガラス板２９等）と、前記各基材のいずれかの基材の側面に形成され、第１光触媒が担持された第１光触媒層と、前記各基材の前記第１光触媒層が形成された基材とは異なる基材の側面に形成され、前記第１光触媒とは活性化領域の異なる第２光触媒が担持された第２光触媒層とを備えたことを特徴とする。
【００１１】
この仕切り部材によれば、複数の基材のうち所定の基材に光源からの光が差し込んだ場合、第１光触媒層で第１光触媒が活性化され、前記所定の基材の側面が浄化される。この活性化作用により所定波長領域の光は第１光触媒層において吸収されるが、その他の光は光透過性のある基材を透過して第２光触媒層に至る。第２光触媒層に担持された第２光触媒は第１光触媒と異なる活性化領域を有しているため、第２光触媒層に至った光により第２光触媒が活性化され得る。その結果、他の基材の側面も活性化作用により浄化され得る。以上により、複数の基材の各側面を光触媒の活性化作用によりクリーンに保つことが可能となる。
【００１２】
前記仕切り部材としては複層ガラス窓に適用することができ、この場合、前記各基材を複層ガラス窓の各ガラス板とし、各ガラス板を間隙をおいて配置し、当該間隙を密閉空間とするように連結することで構成される。さらに、複合ガラス窓に適用する場合においては、前記第１光触媒層を各ガラス板のうち屋外側に配置されるガラス板（屋外側ガラス板２８）の屋外側表面に形成し、前記第２光触媒層を各ガラス板のうち屋内側に配置されるガラス板（屋内側ガラス板２９）の屋内側表面に形成することが好ましい。
【００１３】
このように構成することで、太陽光を光源として、複層ガラス窓の屋外側表面及び屋内側表面をクリーンに保つことができる。なお、複層ガラス窓の密閉空間側の側面に第１光触媒層及び第２光触媒層を形成することも可能であり、このように構成すれば、光触媒が活性化されることにより発現する親水性によって密閉空間側の側面における水滴付着や曇りの発生を抑制することができる。
【００１４】
また、前記第２光触媒は第１光触媒に吸収されずに透過した光を吸収して活性化される光触媒であればよく、少なくとも第１光触媒の活性化領域と重複しない活性化領域（実施形態では３８０〜５２０ｎｍ）を有するものであればよい。この構成によって、第２光触媒層側の側面から光が差し込むことがなく、または第２光触媒層側の側面への光の差し込み量が少ない場合であっても、第１光触媒層及び基材を透過してくる光によって第２光触媒を活性化させることができる。
【００１５】
特に、第１光触媒は波長３８０ｎｍ以下の光を吸収する光触媒であることが好ましく、第２光触媒は波長５２０ｎｍ以下の光を吸収する光触媒であることが好ましい。第１光触媒を波長３８０ｎｍ以下の光を吸収する光触媒とすれば、ＴｉＯ2等の一般的なものを利用できるし、第２光触媒を波長５２０ｎｍ以下の光を吸収する光触媒とすれば、Ｔｉ−Ｏ−Ｎ等の近年提案されているものを利用でき、しかも波長５２０ｎｍを越える波長の光は仕切り部材を透過するため、透過側に人間がいる場合に違和感が少ないという利点がある。
【００１６】
以上のように構成された各仕切り部材は建物設備の一部（トップライト２３，複層ガラス窓２７，照明器具３２のレンズカバー３４，換気装置３７のフィルタ３８等）として利用するに適しており、この場合には、自然光又は人口光が直接差し込む側に前記第１光触媒層が配置されるように仕切り部材を設置すればよい。
【発明を実施するための最良の形態】
【００１７】
以下に、発明を具体化した一実施の形態について、図１及び図２を参照しつつ説明する。なお、図１は本実施の形態における防汚ガラスの断面図、図２は同防汚ガラスの特性を示す説明図である。
【００１８】
本実施形態の仕切り部材としての防汚ガラス１１は、その基材としてガラス板１２が用いられている。本実施形態のガラス板１２は、紫外線光、可視光及び赤外線光の全波長領域において十分な光透過性を有する。
【００１９】
ガラス板１２の表面には、紫外線光応答型の光触媒を担持した第１光触媒層１３が形成されている。この第１光触媒層１３に含まれる紫外線応答型の光触媒としては、ＴｉＯ2（二酸化チタン）が代表例として挙げられる。この光触媒は半導体であり、波長３８０ｎｍ以下の紫外線光を吸収して電子と正孔を生成し、付着した汚れを除去し、殺菌を行う。一方、３８０ｎｍよりも長い波長の光はこの光触媒に吸収されることなく透過する。
【００２０】
ガラス板１２の裏面には、可視光応答型の光触媒を担持した第２光触媒層１４が形成されている。この第２光触媒層１４に含まれる可視光応答型の光触媒としては、Ｔｉ−Ｏ−Ｎ（酸化チタン結晶に窒素を含有させた物質）が代表例として挙げられる。この光触媒は半導体であり、波長５２０ｎｍ以下の光、すなわち可視光のうち短波長領域の光を吸収して電子と正孔を生成し、付着した汚れを除去し、殺菌を行う。一方、５２０ｎｍよりも長い波長の光はこの光触媒に吸収されることなく透過する。
【００２１】
上記第１光触媒層１３及び第２光触媒層１４は、例えばガラス板１２の表面及び裏面にそれぞれコーティングすることにより得られる。このようにして、ガラス板１２の表面に第１光触媒層１３が形成され、ガラス板１２の裏面に第２光触媒層１４が形成され、全体として平坦な仕切り部材（面材）としての防汚ガラス１１が構成されている。
【００２２】
さて、かかる防汚ガラス１１では、図１に示すように、光源からの光が第１光触媒層１３側の側面に当ると、波長３８０ｎｍ以下の光により当該第１光触媒層１３中の紫外線光応答型の光触媒が活性化され、防汚作用や殺菌作用等を生じる。これにより、第１光触媒層１３側の側面が浄化される。波長３８０ｎｍ以下の光は紫外線光応答型の光触媒により吸収されるため、波長３８０ｎｍより長波長の光だけが第１光触媒層１３を透過する。
【００２３】
第１光触媒層１３を透過した波長３８０ｎｍより長波長の光は、ガラス板１２内を透過して第２光触媒層１４に到達する。すると、波長５２０ｎｍ以下の光により当該第２光触媒層１４中の可視光応答型の光触媒が活性化され、防汚作用や殺菌作用等を生じる。これにより、第２光触媒層１４側の側面が浄化される。波長５２０ｎｍ以下の光、詳細には波長３８０〜５２０ｎｍの光は可視光応答型の光触媒により吸収されるため、波長５２０ｎｍより長波長の光だけが第２光触媒層１４を透過する。すなわち、可視光のうち青色成分の多くは吸収されるが、それ以外の可視光や赤外線光は防汚ガラス１１を透過していく。
【００２４】
上記構成を備えるとともに上記作用のある本実施形態の防汚ガラス１１では、以下に示す特有かつ顕著な効果を奏する。
【００２５】
基材としてのガラス板１２を光透過性材料によって形成し、その両面に互いに異なる波長領域で活性化される光触媒を担持した第１光触媒層１３及び第２光触媒層１４をそれぞれ形成した。特に、第２光触媒層１４に担持される光触媒を第１光触媒層１３に担持される光触媒が吸収しない波長領域で活性化されるものとした。これにより、光源からの直接光が第１光触媒層１３側にしか差し込まず、または第２光触媒層１４への直接光が少量であったとしても、第１光触媒層１３及び第２光触媒層１４の両面において光触媒を活性化させることができ、防汚ガラス１１の表裏両面を浄化することができる。その結果、防汚ガラス１１の両面とも頻繁な清掃作業を行わずに済むというメリットがある。
【００２６】
また、第１光触媒層１３及び第２光触媒層１４に担持されるそれぞれの光触媒の活性化により５２０ｎｍ以下の波長の光が吸収されても、波長５２０ｎｍを越える可視光及び赤外線光は防汚ガラス１１を透過する。これにより、防汚ガラス１１越しにも比較的自然な光を感じさせることができ、光源と人間とが防汚ガラス１１を挟んで存在する場合においても違和感を与えない。特に、本実施形態では、可視光のうち青色領域が若干カットされるものであるため、暖かいイメージの光を感じさせることができる。
【００２７】
なお、上記実施の形態の変形例としては次のようなものが挙げられる。
【００２８】
（ａ）基材としては、上述のガラス板１２の他にも、アクリル等の光透過性の合成樹脂材を用いることもできる。基材は、必ずしも全波長領域で光を透過させる必要はなく、紫外線光をカットするＵＶカット機能を付与してもよいし、熱線吸収ガラスを用いてもよい。ＵＶカット機能があっても、第１光触媒層１３側の側面に差し込む光により当該第１光触媒層１３に担持された光触媒は活性化され、基材内を通過する際に紫外線が完全にカットされても第２光触媒層１４に担持された光触媒は活性化される。また、熱線吸収タイプのものであっても、両光触媒層１３，１４での光触媒の活性化を阻害することはない。
【００２９】
（ｂ）仕切り部材として防汚ガラス１１以外のものを用いてもよい。仕切り部材としては、空間を仕切る性質のものであればよく、平板状のものに限られない。勿論、完全に空間を区画するほどの大袈裟なものに限られるものでもない。さらに、仕切り部材は基材を１枚のみとして構成するのではなく、複数の基材を含む仕切り部材として構成することも可能である。なお、具体的な適用例や変形例については後述する。
【００３０】
・第１光触媒層１３において担持される紫外線光応答型の光触媒としては、上述のＴｉＯ2（二酸化チタン）の他にも、ＣｄＳ（硫化カドミニウム）、ＷＯ3（三酸化タングステン）、ＺｎＯ（酸化亜鉛）等が挙げられる。
【００３１】
（ｃ）第２光触媒層１４において担持される可視光応答型の光触媒としては、上述のＴｉ−Ｏ−Ｎ（酸化チタン結晶に窒素を含有させた物質）の他、酸化チタンにパナジウム，クロム，マンガン，鉄，コバルト，ニッケル，銅などをドーピングしたものであってもよい。また、ルチル型酸化チタンを窒素プラズマで処理するか、またはアンモニア雰囲気中で過熱処理することにより得られるものであってもよい。
【００３２】
（ｄ）基材に第１光触媒層１３及び第２光触媒層１４を形成する方法としては、上述のコーティングの他、光触媒を担持した光触媒層をフィルムに形成し、当該フィルムを基材に貼り付ける方法や、その他の方法によって光触媒層を形成してもよい。
【００３３】
（ｅ）第１光触媒層１３と第２光触媒層１４とでは、それぞれに担持される光触媒の活性化領域が一致しなければよい。特に、第１光触媒層１３側からしか光が入射しないという想定では、少なくとも第１光触媒層１３に担持される光触媒の活性化領域とは異なる波長領域で第２光触媒層１４に担持される光触媒が活性化されるものであればよく、第２光触媒層１４に担持される光触媒の活性化領域内に第１光触媒層１３に担持される光触媒の活性化領域全部が含まれるものであってもよい。例えば、両光触媒層１３，１４に担持される光触媒として、いずれも紫外線応答型の光触媒であってかつ活性化領域の異なるものを用いれば、可視光領域を全て透過させることができる。
【００３４】
（ｆ）光源からの光としては、太陽光のような自然光でも、蛍光灯等からの人口光でもよく、少なくとも第１光触媒層１３側に直接光が差し込む形態とすればよい。なお、人口光の場合、少なくとも第１光触媒層１３及び第２光触媒層１４にそれぞれ担持された光触媒のいずれもが活性化し得る波長領域を有する光を照射するものである必要がある。
【００３５】
＜適用例・応用例＞
上記ように構成された防汚ガラス１１の各種適用例ないし応用例について、図３を参照しつつ説明する。なお、図３は、建物及び周辺環境の概略構成を示している。
【００３６】
（１）トップライトへの適用例
建物（住宅）２１の屋根２２の一部にはトップライト２３が設けられている。トップライト２３のガラス板として前記防汚ガラス１１が用いられている。防汚ガラス１１は、第１光触媒層１３が屋外側、第２光触媒層１４が屋内側となっている。
【００３７】
このように構成されたトップライト２３は、太陽光が差し込む環境下で使用されることから、第１光触媒層１３における光触媒の活性化により屋外側（室外側）の面が浄化され、ここを透過した波長３８０ｎｍ以上の光が第２光触媒層１４に至って光触媒の活性化により屋内側（室内側）の面も浄化される。したがって、トップライト２３の屋内外の両面を太陽光のみによって浄化することが可能となる。特に、トップライト２３は人間にとって手の届き難い場所に設置されており、清掃作業を行い難い分、その効果が顕著となる。
【００３８】
また、波長５２０ｎｍより長波長の光は第２光触媒層１４を透過して屋内側に至る。これにより、トップライト２３越しにも比較的自然な光を感じさせることができ、屋内にいる人間に違和感を与えない。特に、青色領域が若干カットされた状態で可視光が屋内に入り込むものであるため、暖かいイメージの光を感じさせることができる。
【００３９】
（２）複層ガラス窓への適用例
建物２１の外壁２６の一部には複層ガラス窓２７が設けられている。複層ガラス窓２７は、前記ガラス板１２と同種のガラス板２８，２９を所定間隔おいて図示しないサッシ枠により平行に保持されて構成されている。そして、屋外側ガラス板２８の屋外側表面に前記第１光触媒層１３が形成され、屋内側ガラス板２９の屋内側表面に前記第２光触媒層１４が形成されている。
【００４０】
このように構成された複層ガラス窓２７は、太陽光が差し込む環境下で使用されることから、第１光触媒層１３における光触媒の活性化により屋外側ガラス板２８の屋外側（室外側）の面が浄化され、ここを透過した波長３８０ｎｍ以上の光が屋外側ガラス板２８、両ガラス板２８，２９間の空隙、屋内側ガラス板２９を透過して第２光触媒層１４に至る。そして、第２光触媒層１４において光触媒の活性化により屋内側ガラス板２９の屋内側の面も浄化される。したがって、複層ガラス窓２７の屋内外の両面を太陽光のみによって浄化することが可能となる。
【００４１】
また、波長５２０ｎｍより長波長の光は第２光触媒層１４を透過して屋内側に至る。これにより、複層ガラス窓２７越しにも比較的自然な光を感じさせることができ、屋内にいる人間に違和感を与えない。特に、青色領域が若干カットされた状態で可視光が屋内に入り込むものであるため、暖かいイメージの光を感じさせることができる。
【００４２】
なお、上記複層ガラス窓２７において、屋外側ガラス板２８の屋内側の面に第１光触媒層１３を形成し、屋内側ガラス板２９の屋外側の面に第２光触媒層１４を形成することも可能である。一般に、複層ガラス窓２７ではガラス板２８，２９間の空隙は密閉空間とされているため、理想的には水分が入り込まないように構成されるが、実際には若干の水分の混入が避けられない。そして、入り込んだ水分によってガラス板２８，２９に水滴が付着し又は曇りが発生するとこれを除去することができないという問題がある。このような問題も、両光触媒層１３，１４の光触媒の活性化により発現される親水性作用によって解消することができる。
【００４３】
（３）照明器具への適用例
建物２１の屋内、例えば天井３１には照明器具３２が設けられている。照明器具３２は、光源としての蛍光灯３３とそれを覆うレンズカバー３４とを備えている。蛍光灯３３は紫外線光を含み可視光のほぼ全域を発するものが使用されている。レンズカバー３４には前記防汚ガラス１１のうちガラス板１２に代えてアクリル等の合成樹脂製の非平面形状をなす基材が用いられる。そして、レンズカバー３４のうち内側すなわち蛍光灯３３側を第１光触媒層１３とし、外側すなわち照明器具３２外表面側を第２光触媒層１４とするように配置する。
【００４４】
このように構成された照明器具３２は、蛍光灯３３が点灯されると、そこから照射された光がレンズカバー３４のうち第１光触媒層１３に最初に到達する。そして、第１光触媒層１３における光触媒の活性化によりレンズカバー３４の内面が浄化され、ここを透過した波長３８０ｎｍ以上の光が第２光触媒層１４に至って光触媒の活性化により外面も浄化される。したがって、レンズカバー３４の内外両面が浄化され、清掃頻度を減らすことができる。
【００４５】
また、波長５２０ｎｍより長波長の光は第２光触媒層１４を透過して屋内側に至る。特に、青色領域が若干カットされた状態で可視光が室内に照射されるものであるため、暖かいイメージの光を感じさせることができる。
【００４６】
（４）換気装置への適用例
建物２１の屋内にはキッチン設備３６が設けられ、キッチン設備３６の一部としてキッチンコンロの上方に換気装置３７が設けられている。換気装置３７はキッチンコンロから立ちのぼる蒸気や煙等を屋外に排出するものである。そして、換気装置３７には、空気中に含まれる油分等を除去するためのフィルタ３８が設けられている。
【００４７】
フィルタ３８の上方には光源としての蛍光灯３９が設けられている。蛍光灯３９は紫外線光を含み可視光のほぼ全域を発するものが使用されている。そして、フィルタ３８にはアクリル等の合成樹脂製の平面形状をなす基材が用いられ、多数の気孔が形成されている。また、この上面側には第１光触媒層１３が形成され、下面側には第２光触媒層１４が形成されている。
【００４８】
このように構成された換気装置３７では、フィルタ３８の下面及び上面に油分その他の汚れが付着し易い環境下におかれる。しかしながら、蛍光灯３９が点灯されると、そこから照射された光がフィルタ３８の上面側の第１光触媒層１３に最初に到達する。そして、第１光触媒層１３における光触媒の活性化によりフィルタ３８の上面が浄化され、ここを透過した波長３８０ｎｍ以上の光が第２光触媒層１４に至って光触媒の活性化によりフィルタ３８の下面も浄化される。したがって、フィルタ３８の上下両面が浄化され、清掃頻度を減らすことができる。
【００４９】
また、波長５２０ｎｍより長波長となる可視光の大部分は第２光触媒層１４を透過してキッチンコンロに至る。したがって、蛍光灯３９はキッチンコンロでの調理時の照明としての機能も兼ね備えたものとなる。
【００５０】
（５）水槽への適用例
建物２１の屋外には、水槽４１が設置されている。水槽４１は、全体として箱状に形成され、内部に水Ｗが溜められている。そして、水槽４１は全体が前記ガラス板１２の組合せによって箱状に構成され、外面に第１光触媒層１３が形成されるとともに内面に第２光触媒層１４が形成されている。
【００５１】
このように構成された水槽４１は、太陽光が差し込む環境下で使用されることから、第１光触媒層１３における光触媒の活性化により水槽４１の外面が浄化され、ここを透過した波長３８０ｎｍ以上の光が第２光触媒層１４に至って光触媒の活性化により水槽４１の内面も浄化される。したがって、水槽４１の内外両面の浄化作用によって、水槽４１の清掃頻度を減らすことができる。
【００５２】
また、水槽４１は屋内に設置されたものであってもよい。水槽４１の他、貯水タンクなどへの適用も可能である。
【００５３】
なお、上記各適用例の他、建物２１の屋内において、部屋を仕切るドア等の間仕切材につき光透過材を用いた箇所で適用することも可能である。さらに、自動車等の車両のフロントガラス、リアガラス、ドアガラス等に適用することも可能であるし、ヘッドライト等のライトのレンズに適用することも可能である。
【図面の簡単な説明】
【００５４】
【図１】本実施形態における防汚ガラスの断面図。
【図２】同防汚ガラスの特性を示す説明図。
【図３】各種適用例を示す概略図。
【図４】従来における防汚ガラスの断面図。
【符号の説明】
【００５５】
１１…仕切り部材としての防汚ガラス、１２…基材としてのガラス板、１３…第１光触媒層、１４…第２光触媒層、２１…建物、２２…屋根、２３…仕切り部材としてのトップライト、２６…外壁、２７…仕切り部材としての複層ガラス窓、２８…基材としての屋外側ガラス板、２９…基材としての屋内側ガラス板、３１…天井、３２…照明器具、３３…光源としての蛍光灯、３４…仕切り部材としてのレンズカバー、３６…キッチン設備、３７…換気装置、３８…仕切り部材としてのフィルタ、３９…光源としての蛍光灯、４１…仕切り部材としての水槽。
【図１】
2007260523.tif 000003
【図２】
2007260523.tif 000004
【図３】
2007260523.tif 000005
【図４】
2007260523.tif 000006